(57)【要約】【課題】金属検出のための設定周波数の設定を迅速かつ的確に実行可能な金属検出装置を提供する。【解決手段】検査領域中の交番磁界を設定周波数帯域で検出する磁界検出手段と、その検出信号に基づいてワーク中における金属の有無を判定する判定手段と、それらの作動条件を可変設定する可変設定手段と、を備える金属検出装置であり、可変設定手段の動作時に、磁界検出手段の検出信号に基づき、複数のうちいずれかの周波数帯域を選択設定する周波数選択設定手段（ステップＳ１５）を備え、周波数選択設定手段は、設定周波数帯域として使用されていた一の周波数チャネルの選択状態が可変設定手段の動作により解除されたとき、解除後の可変設定手段の動作回数が所定回数に達するまで、一の周波数チャネルを使用済み状態として記憶し（ステップＳ１６）、設定周波数帯域を選択するための選択肢として、使用済み状態でない他の周波数チャネルを優先して設定する。【選択図】図３
2018185279.tif 000002
【特許請求の範囲】
【請求項１】
交番磁界が発生した検査領域中を被検査物が通過することに起因する前記交番磁界の変動を予め設定された設定周波数帯域で検出する磁界検出手段と、前記磁界検出手段の検出信号に基づいて前記被検査物中の金属検出のため判定処理を実行する判定手段と、前記磁界検出手段の検出に係る作動条件を可変設定する可変設定手段と、を備える金属検出装置であって、
前記可変設定手段が動作するときに、前記磁界検出手段の検出信号に基づき、予め設定した複数の周波数帯域のうちいずれかの周波数帯域を選択して前記設定周波数帯域を設定する周波数選択設定手段をさらに備え、
前記周波数選択設定手段は、前記設定周波数帯域として使用されていた一周波数帯域の選択状態が前記可変設定手段の動作により解除されたとき、前記解除後の前記可変設定手段の動作回数が所定回数に達するまで、前記一周波数帯域を使用済み状態の周波数帯域として記憶し、前記設定周波数帯域を選択するための周波数帯域の選択肢として、前記使用済み状態の周波数帯域以外の他の周波数帯域を前記一周波数帯域より優先して設定することを特徴とする金属検出装置。
【請求項２】
前記周波数選択設定手段は、前記解除後の前記可変設定手段の動作回数が前記所定回数に達するまで、前記設定周波数帯域を前記他の周波数帯域の範囲内で選択することを特徴とする請求項１に記載の金属検出装置。
【請求項３】
前記周波数選択設定手段は、前記設定周波数帯域の選択対象となる所定数の周波数チャネルのうちいずれかを選択して前記設定周波数帯域を可変設定する選択設定部と、前記所定数の周波数チャネルを、前記設定周波数帯域として現在使用中である現選択状態と、前記現選択状態が解除され前記設定周波数帯域の選択対象外となった使用済み状態と、前記設定周波数帯域の選択対象となる選択待ち状態とに識別可能に記憶するチャネル選択条件記憶部と、を有しており、
前記チャネル選択設定部は、前記使用済み状態の周波数チャネルの数が予め設定された上限値に達するまで前記使用済み状態の周波数チャネルを記憶するとともに、前記選択待ち状態の周波数チャネルが予め設定された下限値の複数チャネルに達した状態で、前記可変設定手段が動作したとき、前記使用済み状態の周波数チャネルのうち前記選択対象外となった時期が最先の周波数チャネルを前記選択待ち状態の周波数チャネルに変更することを特徴とする請求項１または２に記載の金属検出装置。
【請求項４】
前記周波数選択設定手段は、複数の前記選択待ち状態の周波数チャネルのうち、前記磁界検出手段で測定される電磁ノイズレベルが最小値または所定値以下となるいずれかの周波数チャネルを選択して前記設定周波数帯域を設定する周波数選択設定部をさらに有することを特徴とする請求項１に記載の金属検出装置。
【請求項５】
前記周波数選択設定手段は、手動操作入力に応じて、前記チャネル選択条件記憶部に記憶された前記所定数の周波数チャネルの全チャネルを前記選択待ち状態の周波数チャネルに変更するリセット操作部を有していることを特徴とする請求項１ないし４のいずれか１項に記載の金属検出装置。
【請求項６】
前記周波数選択設定手段は、前記作動条件が維持されている間に、前記磁界検出手段により前記検査領域中の電磁ノイズレベルを測定し、該測定結果に基づいて前記作動条件の変更を促す情報出力を実行することを特徴とする請求項１ないし５のいずれか１項に記載の金属検出装置。
【発明の詳細な説明】
【技術分野】
【０００１】
本発明は、金属検出装置に関し、特に被検査物が交番磁界中を通過するときの磁界変動を基に被検査物中の金属または金属成分を検出する金属検出装置に関する。
【背景技術】
【０００２】
従来、食費や医薬品等の各種物品の検査に使用される金属検出装置が知られている。
【０００３】
また、検査領域に交番磁界を発生させるとともに、その検査領域中を移動する被検査物（ワーク）の影響による磁界変動を検出して、その検出信号に検波処理を施した出力を用いて金属検出するようにした金属検出装置が、金属の種類を問わない汎用性の高い金属検出が可能なものとして、多用されている。
【０００４】
この種の金属検出装置では、従前より、初期設定時に熟練者が外来電磁ノイズの周波数測定を行い、その測定結果に基づく検出条件の調整作業等を行うことで、ノイズ影響を受け難い交番磁界の設定周波数（帯域幅の狭い周波数帯域）を選択するといったことがなされていたが、近時、ノイズ影響を受け難い交番磁界の設定周波数を検出できるようにして、初期設定を容易化できるようにしたものが提案されている（例えば特許文献１参照）。
【先行技術文献】
【特許文献】
【０００５】
【特許文献１】特開２００６−６４６４２号公報
【発明の概要】
【発明が解決しようとする課題】
【０００６】
上記従来の金属検出装置では、交番磁界の周波数を選択する初期設定を容易化し、かつ、外来電磁ノイズの影響を抑えた金属検出が可能になるものの、次のような未解決の課題があった。
【０００７】
金属検出装置が設置される環境下で外来電磁ノイズが時間的に変化する場合、或る時間帯で一時的に最良のＳＮ比となった設定周波数が、他の時間帯ではそのＳＮ比が悪化してしまう。そのため、外来電磁ノイズが時間的に変化し易い環境下では、交番磁界の周波数を頻繁に選択し直す必要が生じ得る。
【０００８】
このような場合、ノイズ影響によりＳＮ比が悪化して金属検出機の検出精度が低下することが懸念される度に、磁界周波数を設定し直したり、外来電磁ノイズの周波数測定を断続的に行ったりするといった作業が繰返し必要になるが、従来の金属検出装置では、そのように設定周波数の変更頻度が高くなる場合でも、初期設定時と略同様な作業を行っていたため、的確な作業を迅速に行うことができなかった。
【０００９】
これに対し、例えば金属検出装置の自己診断機能等による運転状態のチェックを行うといったことも考えられるが、同様なチェックの繰り返しになる点で、同様の課題が残る。
【００１０】
本発明は、かかる未解決の課題を解決するためになされたものであり、金属検出のための設定周波数帯域の設定を迅速かつ的確に実行可能な金属検出装置を提供することを目的とする。
【課題を解決するための手段】
【００１１】
本発明は、上記目的達成のため、交番磁界が発生した検査領域中を被検査物が通過することに起因する前記交番磁界の変動を予め設定された設定周波数帯域で検出する磁界検出手段と、前記磁界検出手段の検出信号に基づいて前記被検査物中の金属検出のため判定処理を実行する判定手段と、前記磁界検出手段の検出に係る作動条件を可変設定する可変設定手段と、を備える金属検出装置であって、前記可変設定手段が動作するときに、前記磁界検出手段の検出信号に基づき、予め設定した複数の周波数帯域のうちいずれかの周波数帯域を選択して前記設定周波数帯域を設定する周波数選択設定手段をさらに備え、前記周波数選択設定手段は、前記設定周波数帯域として使用されていた一周波数帯域の選択状態が前記可変設定手段の動作により解除されたとき、前記解除後の前記可変設定手段の動作回数が所定回数に達するまで、前記一周波数帯域を使用済み状態の周波数帯域として記憶し、前記設定周波数帯域を選択するための周波数帯域の選択肢として、前記使用済み状態の周波数帯域以外の他の周波数帯域を前記一周波数帯域より優先して設定することを特徴とする。
【００１２】
この構成により、可変設定手段が磁界検出手段の検出に係る作動条件の設定を変更する動作を実行するとき、可変設定手段および周波数選択設定手段により設定周波数帯域が変更され、使用済みの一周波数帯域が記憶されることで、次回の可変設定手段の動作時には、その使用済みの周波数帯域が設定周波数帯域の選択対象としては優先度合の低いものとなる。したがって、次の設定周波数帯域が相対的に優先度合の高い他の周波数帯域から優先的に選択されることとなり、設定周波数帯域の設定を迅速かつ的確に実行可能となる。しかも、可変設定手段の動作の繰返しに伴って例えば初期設定やリセット後の周辺環境の変化に対して、最適な設定周波数帯域を含む選択待ち状態の周波数チャネルが絞られていくようにできるので、最適な設定周波数帯域が容易かつ的確に設定可能となる。
【００１３】
本発明の金属検出装置において、前記周波数選択設定手段は、前記解除後の前記可変設定手段の動作回数が前記所定回数に達するまで、前記設定周波数帯域を前記他の周波数帯域の範囲内で選択する構成とすることができる。したがって、可変設定手段の動作回数が前記所定回数に達するまでの期間は、使用済みとなった周波数帯域が使用されなくなり、最適な設定周波数帯域を含む蓋然性が高い周波数帯域が絞られていくことになるので、最適な設定周波数帯域が容易かつ的確に設定可能となる。
【００１４】
本発明の金属検出装置において、前記周波数選択設定手段は、前記設定周波数帯域の選択対象となる所定数の周波数チャネルのうちいずれかを選択して前記設定周波数帯域を可変設定する選択設定部と、前記所定数の周波数チャネルを、前記設定周波数帯域として現在使用中である現選択状態と、前記現選択状態が解除され前記設定周波数帯域の選択対象外となった使用済み状態と、前記設定周波数帯域の選択対象となる選択待ち状態とに識別可能に記憶するチャネル選択条件記憶部と、を有しており、前記チャネル選択設定部は、前記使用済み状態の周波数チャネルの数が予め設定された上限値に達するまで前記使用済み状態の周波数チャネルを記憶するとともに、前記選択待ち状態の周波数チャネルが予め設定された下限値の複数チャネルに達した状態で、前記可変設定手段が動作したとき、前記使用済み状態の周波数チャネルのうち前記選択対象外となった時期が最先の周波数チャネルを前記選択待ち状態の周波数チャネルに変更する構成とすることができる。
【００１５】
この構成により、可変設定手段の動作によって磁界検出手段の検出に係る作動条件の設定が変更されるとき、可変設定手段の選択設定部によって所定数の周波数チャネルのうちいずれかが選択されて設定周波数帯域が変更され、現選択状態の周波数帯域が変更される。したがって、現選択状態が解除され設定周波数帯域の選択対象外となった使用済みの周波数帯域が使用済み状態となり、選択待ち状態の設定周波数帯域と識別可能に記憶されることで、次回の可変設定手段の動作時には、今回選択対象外となった使用済みの周波数帯域が設定周波数帯域の選択対象外となり、設定周波数帯域の設定を迅速かつ的確に実行可能となる。しかも、可変設定手段の動作の繰返しに伴って初期設定後の周辺環境の変化に対して、最適な設定周波数帯域を含む選択待ち状態の周波数チャネルが絞られていくことになるので、最適な設定周波数帯域が容易に設定可能となる。
【００１６】
しかも、チャネル選択設定部は、使用済み状態の周波数チャネルの数が予め設定された上限値に達するとともに、選択待ち状態の周波数チャネルが予め設定された下限値の複数チャネルに達した状態で、可変設定手段が動作したときには、使用済み状態の周波数チャネルのうち選択対象外となった時期が最先の周波数チャネルを選択待ち状態の周波数チャネルが戻るように変更される。したがって、有限の所定数の選択対象の周波数チャネルを用いながらも常に作業環境の変動に対し的確な設定周波数帯域を選択するか近付けることができる。
【００１７】
本発明の金属検出装置において、前記周波数選択設定手段は、複数の前記選択待ち状態の周波数チャネルのうち、前記磁界検出手段で測定される電磁ノイズレベルが最小値または所定値以下となるいずれかの周波数チャネルを選択して前記設定周波数帯域を設定する周波数選択設定部をさらに有するものであってもよい。これにより、電磁ノイズレベルが最小値となる周波数チャネルを採用することで検出精度を安定保持するようにしたり、電磁ノイズレベルが所定値以下の周波数チャネルをすぐに採用することでそれ以降の測定省略することで設定周波数帯域の可変設定をより迅速化したりできる。
【００１８】
本発明の金属検出装置において、前記周波数選択設定手段は、手動操作入力に応じて、前記チャネル選択条件記憶部に記憶された前記所定数の周波数チャネルの全チャネルを前記選択待ち状態の周波数チャネルに変更するリセット操作部を有していてもよい。
【００１９】
これにより、設置環境が大きく変化し、所定期間内の履歴が有効利用できない場合にはリセット操作部を手動操作することで、所定数の周波数チャネルの全チャネルを選択待ち状態の周波数チャネルに変更し、有効な履歴情報のみを保持させることが可能となる。
【００２０】
本発明の金属検出装置において、前記周波数選択設定手段は、前記作動条件が維持されている間に、前記磁界検出手段により前記検査領域中の電磁ノイズレベルを測定し、該測定結果に基づいて前記作動条件の変更を促す情報出力を実行するものとしてもよい。
【００２１】
このようにすると、通常運転中に検査領域中の電磁ノイズレベルが悪化したとき、それを迅速に使用者に報知し、金属検出装置の自己診断機能その他の機能による可変設定手段の動作を促すことが可能となる。
【発明の効果】
【００２２】
本発明によれば、外来電磁ノイズの影響やその変化に対して金属検出のための設定周波数帯域の設定を迅速かつ的確に実行可能な金属検出装置を提供することができる。
【図面の簡単な説明】
【００２３】
【図１】本発明の一実施形態に係る金属検出装置の概略ブロック構成図である。
【図２】本発明の一実施形態に係る金属検出装置の信号処理部における周波数切換え用マップの説明図である。
【図３】本発明の一実施形態に係る金属検出装置の送受信信号周波数帯域の設定処理の概略手順を示すフローチャートである。
【図４】本発明の一実施形態に係る金属検出装置における送受信信号の周波数帯域切換えに伴う周波数切換え用マップの状態変化の説明図である。
【発明を実施するための形態】
【００２４】
以下、本発明を実施するための形態について、図面を参照しつつ説明する。
【００２５】
図１〜図４は本発明の一実施形態に係る金属検出装置の概略構成を示している。
【００２６】
まず、その構成について説明する。
【００２７】
図１にその全体の概略構成を示す本実施形態の金属検出装置１０においては、被検査物であるワークＷが図示しないコンベアにより搬送されつつ交番磁界が発生した検査領域Ｚを通過するようになっており、このワークＷの通過に伴う検査領域Ｚ中の磁界変動を検出することで、ワークＷ中の金属（金属からなる異物または金属成分を含んだ異物、欠品検出の場合は異物でなく構成要素となる）が検出されるようになっている。また、検査領域Ｚの入り口付近にはワークＷの検査領域Ｚへの進入を検知する物品検知センサ１１が設置されている。
【００２８】
ワークＷは、例えば量産される食品を包装材で個々に、あるいは所定数の輸送時の個数単位で包装したものであり、箱入り製品のような定形のものでも、流動物等を封入した可撓性の袋入り製品のような不定形のものでよい。勿論、食品に限定されるものではない。
【００２９】
金属検出装置１０は、予め設定された設定周波数の交流信号を発生する信号発生部２１と、信号発生部２１からの交流信号に基づき送信コイルを励磁駆動して検査領域Ｚ内に交番磁界を発生させる磁界発生部２２（磁界発生手段）と、検査領域Ｚ内の磁界変動を検出する差動検出器等で構成される磁界検出部２３（磁界検出手段）と、磁界検出部２３の検出信号を取り込んで後述する複数の信号処理を実行する信号処理部３０と、信号処理部３０で処理された検出信号を基にワークＷ中における金属異物または金属成分の有無を判定する金属検出判定部４０（判定手段）と、を備えている。
【００３０】
詳細を図示しないが、信号発生部２１は、基準信号発生回路、信号レベル調整回路および増幅回路を有しており、少なくともワークＷが検査領域Ｚに進入しようとしていることが物品検知センサ１１によって検出されたとき、磁界発生部２２に磁界を発生させる交流信号を出力するようになっている。
【００３１】
磁界発生部２２は、コンベアによるワークＷの搬送路の近傍に配置された送信コイルおよび同調回路を有しており、信号発生部２１からの交流信号に応じて送信コイルを励磁駆動して、検査領域Ｚ内に設定周波数帯域の磁界を発生させることができる。なお、この磁界発生部２２により発生させる交番磁界は、外来電磁ノイズの影響を抑えるよう周波数拡散処理を行ったものであってもよく、その場合、信号発生部２１は、例えば疑似ランダムノイズ信号であるＰＮ（Pseudo Noise）信号を発生するＰＮ信号発生器と電圧制御発振器（Voltage Controlled Oscillator；以下、ＶＣＯという）とを協働させる拡散共振器を含んだ構成とすることができる。また、周波数拡散処理によって磁界発生部２２と磁界検出部２３の間の送受信信号の周波数帯域が変化する場合、本発明にいう設定周波数帯域は、その周波数拡散処理後の送受信信号の周波数帯域を意味する。
【００３２】
磁界検出部２３は、信号発生部２１および磁界発生部２２と協働してワークＷ中の金属異物を検出するようになっており、差動接続された一対の受信コイルと、同調用コンデンサと、感度調節用可変抵抗器等からなる。この磁界検出部２３は、磁界発生部２２からの交番磁界に対する一対の受信コイルの誘起電圧が平衡し、両者の差動出力がゼロになるように調整されている。なお、磁界発生部２２により発生させる交番磁界が周波数拡散処理されたものである場合、前述の感度調整用可変抵抗器の後段側に信号合成器を設け、磁界検出部２３への検波用クロック信号を前述のＰＮ信号との同期をとるように周波数拡散した信号とし、その信号合成器に入力させて、受信信号を逆拡散処理するように構成することができる。
【００３３】
磁界中を通過する磁性金属には磁束密度の大きさに比例してより多くの磁束が引き寄せられ、磁界中を通過する非磁性金属にはその移動による磁束密度の変化を打ち消すような向きでうず電流が生じ、ジュール熱が消費されるという性質がある。したがって、前記コンベア上のワークＷが検査領域Ｚを通過するとき、磁界検出部２３の受信コイルの出力の平衡状態がくずれる。
【００３４】
磁界検出部２３は、このように検査領域Ｚ中のワークＷの移動により両受信コイル間の出力平衡状態がくずれたとき、その磁界の変化に応じた検出信号を出力する。この検出信号は、磁界発生部２２側からの交番磁界に対応して前記送信信号の設定周波数帯域を有する交流信号成分に、ワークＷの通過に伴う磁界変化に対応する低周波信号成分が重畳した信号形態となる。
【００３５】
信号処理部３０は、磁界検出部２３と共に受信回路を構成する受信レベル測定回路２５を内蔵しており、受信レベル測定回路２５は、例えば直交検波を行なう一対の同期検波器、移相器、バンドパスフィルタ、増幅器およびＡ／Ｄ変換器等によって構成されている。
【００３６】
受信レベル測定回路２５の一対の同期検波器は、直交検波のために前記送信信号を一方に、これとは９０°位相が異なるよう調整した信号を他方に取り込み、それぞれ検出信号から送信信号相当の高周波成分を取り除いた検波出力を生成するようになっている。また、受信レベル測定回路２５は、前述の検波出力に更にバンドパスフィルタによるノイズ除去やＡ／Ｄ変換等を施した信号を生成し、金属検出判定部４０に出力するようになっている。
【００３７】
なお、前記直交検波の出力は、例えば、磁束密度変化が大きいほど外部磁界変化を引き起こす非磁性金属の影響が大きい検出信号、あるいは磁束密度が大きいほど外部磁界変化を引き起こす磁性金属の影響の大きい検出信号となる。
【００３８】
信号処理部３０は、また、磁界検出部２３の検出信号や操作入力部３５からのユーザーの操作入力等に基づいて、所定の制御プログラムを実行し、その処理結果に応じて信号発生部２１および金属検出判定部４０に信号出力するとともに、信号発生部２１から磁界検出部２３に信号出力させるようになっている。この点については、後述する。
【００３９】
一方、金属検出判定部４０は、信号処理部３０からの検出信号を基にワークＷ中に金属異物が含まれているか否かを公知の判定方法で判定する判定処理プログラムを有しており、その判定処理プログラムによる判定結果を例えば信号処理部３０を介して表示出力部３６に出力する。また、金属検出判定部４０は、検査領域Ｚより下流側に設けられた選別装置に対し、不良品を良品と分けるための選別指令信号を出力するようになっている。
【００４０】
信号処理部３０および金属検出判定部４０は、詳細なハードウェア構成を図示しないが、前述した信号処理部３０の受信レベル測定回路２５に加えて、例えばＣＰＵ、ＲＡＭ、ＲＯＭおよび入出力インターフェース回路を含むマイクロコンピュータ構成の制御部を構成しており、ＲＯＭ内に格納された各種制御プログラムをＣＰＵにより実行することで、受信レベル測定回路２５を介して取り込んだ検出信号に基づく金属検出判定部４０の機能の他に、以下に述べるような信号処理部３０の各機能を発揮できるようになっている。
【００４１】
すなわち、信号処理部３０は、ＲＯＭに格納された各種制御プログラムをＣＰＵにより実行することで、磁界検出部２３の検出に係る作動条件を可変設定する可変設定部３１（可変設定手段）と、可変設定部３１が磁界検出部２３の検出に係る作動条件を可変設定するよう動作するときに、磁界発生部２２および磁界検出部２３の間の送受信信号の周波数帯域として設定される設定周波数帯域を、複数の異なる周波数帯域のうち金属検出装置１０の使用環境に適したいずれか一周波数帯域を選択して設定する周波数選択設定部３２との、それぞれの機能を発揮することができるようになっている。
【００４２】
なお、ここにいう磁界検出手段の検出に係る作動条件は、磁界発生部２２で発生させる交番磁界の設定周波数その他の磁界発生条件、磁界検出部２３の磁界検出条件、および受信レベル測定回路２５における磁界検出信号の処理条件等である。
【００４３】
信号処理部３０は、また、操作入力部３５からのユーザーの操作入力、例えばトラブルシュートのためのメンテナンスモードの実行指示入力に応じて、可変設定部３１を動作させて磁界発生部２２の発生磁界の強度レベルを変化させ、磁界検出部２３により検査領域Ｚ中の電磁ノイズレベルを検出するようになっている。そして、その測定結果に基づき、周波数選択設定部３２を動作させて、複数の周波数チャネルＣｈ１〜Ｃｈ９のうち電磁ノイズレベルが最小値となるかそれに近い周波数チャネル（周波数帯域）を、前述の設定周波数帯域とするようになっている（詳細は後述する）。なお、ここで磁界発生部２２の発生磁界を変化させるときには、他の金属検出装置に誤判定を生じさせない発生磁界の強度レベルである所定の低強度レベルにする。
【００４４】
図２に示すように、信号処理部３０は、書換え可能なメモリデバイスで構成された記憶部３３を有しており、周波数選択設定部３２は、記憶部３３内に記憶格納されたマップＭｆに対して、マップ値の書込みおよび読出しを行いながら、設定周波数帯域として使用される周波数チャネルの選択処理を実行するようになっている。
【００４５】
ここで、記憶部３３には、所定数の周波数チャネルＣｈ１〜Ｃｈ９に対応する複数の周波数帯域の設定条件や選択条件、使用状態に応じたマップＭｆのマップ値の更新条件等が記憶されている。
【００４６】
また、マップＭｆは、所定数の周波数チャネルＣｈ１ないしＣｈ９の使用状態を、設定周波数帯域として使用可である選択待ち状態については"０"で、設定周波数帯域として現在使用中である現選択状態については"１"で、現選択状態が解除され設定周波数帯域としての選択対象外となった使用済み状態についてはその選択解除後の可変設定部３１の動作回数に応じて"２"、"３"、"４"、"５"、"６"で、それぞれ示すことにより、これらの指示値"０"ないし"６"を基に所定数の周波数チャネルＣｈ１ないしＣｈ９の使用状態を識別可能に記憶するチャネル選択条件記憶部となっている。
【００４７】
すなわち、マップＭｆにおいては、現在使用中である現選択状態"１"の周波数チャネル（図２中では周波数チャネルＣｈ６に対応）と、現選択状態が解除され設定周波数帯域の選択対象外となった使用済み状態"２"〜"６" の周波数チャネル（図２中では周波数チャネルＣｈ３、Ｃｈ２、Ｃｈ９、Ｃｈ５、Ｃｈ７に対応）と、次の設定周波数帯域の選択対象となり得る選択待ち状態"０"の周波数チャネル（図２中では周波数チャネルＣｈ１、Ｃｈ４、Ｃｈ８に対応）とが、明確に区別できるように記憶されている。
【００４８】
このマップＭｆに対し、周波数選択設定部３２は、使用済み状態の周波数チャネルの数が予め設定された上限値に達するまで、可変設定部３１が磁界検出部２３の検出に係る作動条件を可変設定する動作を１回するごとに、使用済み状態の各周波数チャネルのマップ値をインクリメントし、使用済み状態の各周波数チャネルが現選択状態"１"を解除された後の可変設定部３１の動作回数を記憶保持させることができるようになっている。
【００４９】
また、周波数選択設定部３２は、使用済み状態"２"〜"６"の周波数チャネルの数が前述の上限値に達するとともに、選択待ち状態"０"の周波数チャネルが予め設定された下限値の複数チャネル、例えば３チャネルに達した状態で可変設定部３１が動作したとき、使用済み状態"２"ないし"６"の周波数チャネルのうち選択対象外となった時期が最先である使用済み状態"６"の周波数チャネルを、選択待ち状態"０"の周波数チャネルに変更するようになっている。
【００５０】
より具体的には、周波数選択設定部３２は、設定周波数帯域として使用されていた或る一周波数帯域が可変設定部３１による作動条件の切換え動作に伴って他の周波数帯域に切り換えられるとき、マップＭｆにおいて現選択状態"１"であった一つの周波数チャネルの選択を解除するとともに、その選択解除したマップ値に増分値である１を加算して、使用済み状態"２"に変更する。さらに、周波数選択設定部３２は、現選択状態"１"であった一つの周波数チャネルを使用済み状態"２"に変更するとき、同時に、各使用済み状態のマップ値に増分値である１を加算する。
【００５１】
また、周波数選択設定部３２は、各使用済み状態の周波数チャネルの選択解除後の可変設定部３１の動作回数が所定回数、例えば５回に達するまで、可変設定部３１の動作回数が増えるたびにそのマップ値に増分１を加算して使用済み状態"３"、"４"、"５"、"６"と変更し、その選択解除後の期間の経過をも記憶させる。したがって、マップＭｆは、所定数の周波数チャネルＣｈ１ないしＣｈ９のうち使用済み状態となった周波数チャネルが複数に増加し、さらに上限値の数に増加したとき、それらの選択解除時期の先後の違いを識別可能な状態となっている。
【００５２】
また、周波数選択設定部３２は、現選択状態"１"であった一つの周波数チャネルを使用済み状態"２"に変更するとき、同時に、次の設定周波数帯域に設定するべき選択肢として、複数の選択待ち状態"０"の周波数チャネルを、使用済み状態となった選択非対象の周波数チャネルより優先して選択するようになっている。
【００５３】
そして、周波数選択設定部３２は、可変設定部３１と協働し、複数の選択待ち状態"０"の周波数チャネルについて、所定の順序で、例えばチャネル番号順に各周波数チャネルを使用した前述の電磁ノイズレベル測定を実行させ、その測定結果のノイズレベルが最小値となる周波数チャネルを選択して、次の設定周波数帯域に設定するようになっている。
【００５４】
このような周波数選択設定部３２は、金属検出装置１０の初期の設定時や後述するリセット操作直後等には、それぞれ選択待ち状態"０"となっている所定数の周波数チャネルＣｈ１ないしＣｈ９の全チャネルから設定周波数帯域となる周波数チャネルを選択し、それ以降は、使用中または使用済み状態の各周波数チャネルを除いた残りの複数の選択待ち状態"０"の周波数チャネルから次の設定周波数帯域となる周波数チャネルを選択し、使用済み状態の周波数チャネル数が上限値に達した後は、予め設定された下限値の選択待ち状態"０"の周波数チャネルから次の設定周波数帯域となるべき周波数チャネルを選択することになる。
【００５５】
なお、ここでは、説明の便宜上、所定数の周波数チャネルを９チャネルとし、使用済み状態の周波数チャネルの上限値を５チャネルとしたが、それぞれ異なるチャネル数であってもよい。また、選択待ち状態の周波数チャネルは、複数チャネルであればよい。
【００５６】
信号処理部３０の記憶部３３には、マップＭｆの他に、金属検出に関する他の各種設定情報や信号処理部３０での測定結果等を記憶格納することができるようになっている。
【００５７】
信号処理部３０は、また、トラブルシュートのためのメンテナンスモード、診断モード等といった金属検出装置１０の診断機能が発揮される動作モードを要求する操作入力（例えば、操作画面上の操作ボタンの選択操作等）がなされたとき、金属検出装置１０の作動状態を自己診断する自己診断機能部３４を有しており、周波数選択設定部３２は、この自己診断機能部３４の機能が発揮され、その結果に基づいて可変設定部３１が動作することを条件に、磁界発生部２２と磁界検出部２３の間の送受信信号の周波数帯域である設定周波数帯域を変更するようになっている。
【００５８】
そして、信号処理部３０は、磁界検出部２３の検出信号や操作入力部３５からのユーザーの操作入力に基づいて所定の制御プログラムを実行し、その処理結果に応じ周波数選択設定部３２によりマップＭｆを参照させつつ可変設定部３１を動作させて、信号発生部２１に周波数切替えコマンド等の制御信号を出力させるとともに、信号発生部２１から磁界発生部２２に検波用クロック信号を出力させることで、磁界発生部２２および磁界検出部２３の間の送受信信号の周波数帯域を、マップＭｆ中で新たに使用中（現選択待ち状態）として選択された周波数チャネルに設定するようになっている。
【００５９】
このように、信号処理部３０は、まず、操作入力部３５からのユーザーの操作入力、例えばトラブルシュートのためのメンテナンスモードの実行指示入力に応じて、可変設定部３１および周波数選択設定部３２を作動させるとともに、磁界発生部２２の発生磁界の強度レベルを変化させて、磁界検出部２３により検査領域Ｚ中の電磁ノイズレベルを測定する。そして、複数の周波数チャネルＣｈ１〜Ｃｈ９のうち選択待ち状態の複数の周波数チャネルを順次選択して電磁ノイズレベルを測定することで、その測定回数を抑え得るようにしながら、必要な選択肢である選択待ち状態の周波数チャネルの中で電磁ノイズレベルが最小値となる周波数チャネルを次の設定周波数帯域に選択して、この周波数チャネルについて記憶部３３内のマップＭｆのマップ値を現選択状態"１"に設定する。
【００６０】
可変設定部３１は、また、記憶部３３内のマップＭｆのマップ値で特定される金属検出装置１０の作動条件が一定に維持されている間、例えば運転開始時等に磁界検出部２３により検査領域Ｚ中の電磁ノイズレベルを測定し、その測定結果に基づいて自己診断機能部３４による診断機能を発揮させる（それにともなって可変設定部３１の動作により作動条件を変更させる）ことを促す画面出力や他の表示器への情報出力、例えば外来電磁ノイズレベルの上限域への増加を報知する情報出力を実行するようになっている。
【００６１】
さらに、信号処理部３０に接続する操作入力部３５は、複数の周波数チャネルＣｈ１〜Ｃｈ９に対応する所定数の周波数チャネルＣｈ１〜Ｃｈ９の全チャネルを選択待ち状態"０"の周波数チャネルに変更するリセット操作部３５ａを有している。
【００６２】
次に、動作について説明する。
【００６３】
上述のように構成された本実施形態の金属検出装置においては、金属検出装置のトラブルシュート等のためのメンテナンスモードが選択された直後や前述のリセット操作部３５ａが操作された直後に、以下に述べるような設定周波数帯域の選択設定処理が割込み処理として実行され、磁界発生部２２および磁界検出部２３の間の送受信信号の設定周波数帯域が自動的に設定または再設定される。
【００６４】
図３は、その設定周波数帯域の選択設定処理の概略手順を示すフローチャートである。
【００６５】
まず、信号処理部３０の周波数選択設定部３２によりマップＭｆが参照され、マップＭｆ中の複数の選択待ち状態"０"の周波数チャネルのうちチャネル番号が最も小さい周波数チャネルが測定対象の周波数帯域として選択される（ステップＳ１１）。なお、図３において、所定の帯域幅を有する周波数帯域の中心周波数の意で単に周波数と記載し、チャネルの意でＣｈと記載する部分がある。
【００６６】
次いで、可変設定部３１の動作により、測定対象の周波数帯域として選択された周波数チャネルとなるよう信号発生部２１に周波数切替えコマンド等の制御信号が出力されるとともに、信号発生部２１から磁界発生部２２に検波用クロック信号が出力され、磁界発生部２２および磁界検出部２３の間の送受信信号の周波数帯域が、測定対象の周波数チャネルに対応する設定周波数帯域に設定される。また、信号発生部２１での基準信号の振幅制限等により、磁界発生部２２からの送信信号レベルが通常の金属検出動作時に対して５分の１程度以下に抑えられる。そして、その状態下で、磁界検出部２３により検査領域Ｚ内の交番磁界に対する外来電磁ノイズの影響が測定され、その測定結果が一時的に記憶保存される（ステップＳ１２、Ｓ１３）。
【００６７】
次いで、複数の選択待ち状態"０"の周波数チャネルのうち測定用に選択されていない他の周波数チャネルが残っているか否かがチェックされ（ステップＳ１４）、残っている場合（ステップＳ１４でＹｅｓの場合）には、次の測定対象の周波数チャネルの選択とそれを用いた測定およびその結果の保存がなされる。
【００６８】
さらに、マップＭｆ中の複数の選択待ち状態"０"の周波数チャネルのうち測定用に選択されていない周波数チャネルの残りがなくなると（ステップＳ１４でＮｏ場合）、保存済みの測定結果を基に、外来電磁ノイズレベルの影響が最も少ない周波数チャネル、すなわち外来電磁ノイズレベルが最小値となる周波数チャネルが、そのまま使用可な周波数帯域として、それ以降の金属検出動作における設定周波数帯域が自動選択される（ステップＳ１５）。
【００６９】
そして、この自動選択と同時に、マップＭｆに対し、自動選択された使用環境に適した一つの周波数チャネルの使用状態を選択待ち状態"０"から現選択状態"１"に変更し、これまで現選択状態"１"であった周波数チャネルの使用状態を使用済状態"２"とし、他の各使用済み周波数帯域について増分１を加算した指示値にとするように、マップ値が変更され、記憶部３３に書き込まれ（ステップＳ１６）、一連の設定周波数帯域の選択設定処理が終了する。
【００７０】
図４は、説明の便宜上、外来電磁ノイズがランダムに変動すると仮定した場合のマップＭｆの書換え手順の一例を示している。
【００７１】
まず、初期設定時やリセット操作部３５ａの操作直後のように全チャネルが選択待ち状態"０"に書き換えられた状態で、外来磁界ノイズレベルの測定が開始された後、測定結果から外来電磁ノイズレベルの影響が最も少ない一つの周波数チャネルについて、設定周波数帯域の自動設定がなされ、図４（ａ）に示すように、全チャネルＣｈ１ないしＣｈ９のうち例えば周波数チャネルＣｈ４が現選択状態"１"に設定される。
【００７２】
この設定後、周波数チャネルＣｈ４に対応する設定周波数を用いて、金属検出装置１０の運転が実行される。
【００７３】
そして、例えば金属検出装置１０による物品検査の結果などに応じてトラブルシュート等のためのメンテナンスモードその他の自己診断機能部３４の診断機能が発揮される運転モードが選択され、その診断結果に応じて可変設定部３１が磁界検出部２３の検出に係る作動条件を可変設定するべく、信号発生部２１、磁界発生部２２、磁界検出部２３および受信レベル測定回路２５のうちいずれかの作動条件を可変設定する動作を実行するとき、設定周波数帯域の選択設定処理が再度実行される。
【００７４】
このとき、マップＭｆ中の複数の選択待ち状態"０"の周波数チャネルについて外来磁界ノイズレベルの測定が実行され、外来電磁ノイズレベルの影響が最も少ない一つの周波数チャネルについて、設定周波数帯域の自動設定がなされ、図４（ｂ）に示すように、全チャネルＣｈ１ないしＣｈ９のうちそれまで現選択状態"１"であった周波数チャネルＣｈ４が使用済み状態"２"に設定し直されるとともに、外来電磁ノイズレベルの影響が最も少ない一つの周波数チャネルＣｈ７が選択待ち状態"０"から現選択状態"１"に設定し直される。
【００７５】
そして、図４（ｃ）ないし図４（ｆ）に示すように、以下同様に、メンテナンスモード等に入って可変設定部３１が所定の動作をするたびに、外来電磁ノイズレベルの影響が最も少ない一つの周波数チャネルが選択待ち状態"０"から現選択状態"１"に設定し直されるのと同時に、現選択状態"１"であった一つの周波数チャネルの選択が解除されて使用済み状態"２"に変更され、さらに、他の使用済みの各周波数チャネルについてそのマップ値に増分値である１が加算される処理が繰り返される。
【００７６】
これに伴い、図４（ｆ）に示すように、最初に選択解除された使用済み状態の周波数チャネルＣｈ４の選択解除後の可変設定部３１の動作回数が５回に達したときには、使用済みの周波数チャネルの数が、指示値"２"から"６"で示される５チャネル、すなわち予め設定された上限値に達するとともに、選択待ち状態"０"の周波数チャネルの数が、下限値の３チャネルに達する。
【００７７】
そして、次に可変設定部３１が動作するときには、最初に選択解除された使用済み状態の周波数チャネルＣｈ４の選択解除後の可変設定部３１の動作回数が５回を超えることになるので、そのときに、図４（ｇ）に示すように、使用済み状態の周波数チャネルＣｈ４の指示値がクリアされて"６"から"０"に戻され、周波数チャネルＣｈ４が再度選択待ち状態に戻される。
【００７８】
このように、本実施形態においては、ユーザーの手動操作入力に応じてトラブルシュート等のために可変設定部３１の動作によって磁界検出部２３の検出に係る作動条件の設定が変更されるとき、可変設定部３１および周波数選択設定部３２により設定周波数帯域が自動的に変更され、使用済みの周波数帯域が記憶されることで、次回の可変設定部３１の動作時には、その使用済みの周波数チャネルが次の設定周波数帯域の選択対象としては優先度合の低いもの（ここでは選択対象外）となる。したがって、相対的に優先度合の高い他の選択待ち状態の周波数チャネルから優先的に次の設定周波数帯域が選択されることとなり、設定周波数帯域の設定を迅速かつ的確に実行可能となる。
【００７９】
しかも、可変設定部３１の動作の繰返しに伴って初期設定やリセット操作の後の周辺環境の変化（他の金属検出装置の増設やインバータ搭載機器の設置あるいはそれら運転の有無や撤去等）に対して、不適な設定周波数帯域を除外しつつ選択待ち状態の周波数チャネルが絞られていくようにできるので、最適な設定周波数帯域が容易かつ的確に設定可能となる。
【００８０】
また、本実施形態では、可変設定部３１の動作回数が所定回数、例えば５回に達するまでの間に、使用済みとなった周波数チャネルが使用されずに増える一方で、最適な設定周波数帯域を含む蓋然性が高い周波数帯域が絞られていくことになるので、最適な設定周波数帯域が容易かつ的確に設定可能となる。
【００８１】
さらに、本実施形態では、周波数選択設定部３２が、使用済み状態の周波数チャネルの数が上限値に達するとともに、選択待ち状態の周波数チャネルが下限値の複数チャネルに達した状態で可変設定部３１が動作したとき、選択対象外となった時期が最先の周波数チャネル（図４中のＣｈ４）を選択待ち状態の周波数チャネルに変更するので、設定周波数の可変範囲を全周波数チャネルＣｈ１ないしＣｈ９で広範囲に確保しつつ外来電磁ノイズの影響を回避するのに好適な周波数チャネルを選択する際にはそれに必要な処理回数を抑えることが可能となる。
【００８２】
加えて、必要な測定回数を抑えることで設定周波数の設定を迅速化しながらも、電磁ノイズレベルが最小値となる周波数チャネルを選択するので、所定数の周波数チャネルＣｈ１ないしＣｈ９を用いつつ、常に作業環境の変動に対し的確な設定周波数を選択するか最適な設定周波数に近付けて、金属検出装置１０の検出精度を安定保持することができる。
【００８３】
このように、本実施形態によれば、外来電磁ノイズの影響やその変化に対して金属検出のための設定周波数の設定を迅速かつ的確に実行可能な金属検出装置１０を提供することができる。
【００８４】
なお、上述の一実施形態においては、周波数選択設定部３２は、複数の選択待ち状態"０"の周波数チャネルのうち、外来電磁ノイズレベルの影響が最も少ない（外来電磁ノイズレベルが最小値の）周波数チャネルを設定周波数帯域に選択するものとしたが、許容ノイズレベル判定のための閾値である所定の電磁ノイズレベル以下となっていれば実質的に差異がない場合も多い。したがって、測定結果が所定の電磁ノイズレベル以下となると、測定のための他の選択可能な周波数チャネルを選択することなく、その周波数チャネルを使用可として、設定周波数帯域を自動設定するようにしてもよい。そのようにすれば、リセット操作直後等に、全周波数チャネルについて外来磁界ノイズレベルの影響測定を行う必要が無く、より迅速化を図ることができる。そして、金属検出性能が十分でなければ、再度設定周波数帯域を自動設定するモード選択がなされたときに、より好適な設定周波数帯域が選択され得ることになる。
【００８５】
本実施形態においては、設置環境が大きく変化し、所定期間内の履歴が有効利用できない場合にはリセット操作部３５ａを手動操作することで、所定数の周波数チャネルの全チャネルを選択待ち状態の周波数チャネルに変更し、有効な履歴情報のみを保持させることができる。
【００８６】
さらに、上述のように、トラブルシュート等のためのメンテナンスモード時やリセット操作時に設定周波数が自動設定（再設定）されるのに加えて、金属検出装置１０の作動条件が維持されている間、例えば金属検出装置１０の起動時等に、磁界検出部２３により検査領域中の電磁ノイズレベルを測定させ、その測定結果に基づいて作動条件の変更を促す情報出力を実行する。したがって、電磁ノイズレベルが悪化するような環境変化が生じたとき、それを迅速に使用者に報知し、金属検出装置１０の自己診断機能その他の機能による可変設定部３１の動作を促すことが可能となる。
【００８７】
なお、上述の一実施形態においては、設定周波数帯域は、専ら磁界発生部２２で発生する交番磁界の設定周波数としてその選択設定説明したが、この場合、周波数チャネルＣｈ１ないしＣｈ９のうち特定の周波数チャネルの中心周波数を基準に、他の周波数チャネルを相対的に設定してもよいし、周波数チャネルＣｈ１からＣｈ９をそれぞれ独立の中心周波数で所定間隔（不等周波数間隔でもよい）に設定してもよい。勿論、全周波数チャネルの数、使用済みの周波数チャネルの数の上限値、および、選択待ち状態の周波数チャネルの数の下限値は、増減変更した値にすることができる。マップＭｆに置き換え可能なチャネル選択条件記憶部を、先入れ先出し機能を有するシフトレジスタやバッファで構成することが考えられることは勿論である。
【００８８】
また、磁界発生部２２で周波数拡散した送信信号に対応する交番磁界を発生させる場合、上述した設定周波数の選択設定手順と同様な手順で、使用環境に好適な拡散条件を複数の拡散符号のうちいずれかを選択する等して選択することも考えられる。
【００８９】
以上説明したように、本発明は、外来電磁ノイズの影響やその変化に対して金属検出のための設定周波数の設定を迅速かつ的確に実行可能な金属検出装置を提供できるものであり、被検査物が交番磁界中を通過するときの磁界変動を基に被検査物中の金属または金属成分を検出する金属検出装置全般に有用である。
【符号の説明】
【００９０】
１０  金属検出装置
１１  物品検知センサ
２１  信号発生部
２２  磁界発生部（磁界発生手段）
２３  磁界検出部（磁界検出手段）
２５  受信レベル測定回路
３０  信号処理部（制御部）
３１  可変設定部（可変設定手段）
３２  周波数選択設定部（周波数選択設定手段、チャネル選択設定部）
３３  記憶部（周波数選択設定手段、チャネル選択条件記憶部）
３４  自己診断機能部
３５  操作入力部
３５ａ  リセット操作部
３６  表示出力部
４０  金属検出判定部（判定手段）
Ｃｈ１、Ｃｈ２、Ｃｈ３、Ｃｈ４、Ｃｈ５、Ｃｈ６、Ｃｈ７、Ｃｈ８、Ｃｈ９  周波数チャネル
Ｍｆ  マップ（チャネル選択条件記憶部）
Ｗ  ワーク（被検査物）
Ｚ  検査領域
【図１】
2018185279.tif 000003
【図２】
2018185279.tif 000004
【図３】
2018185279.tif 000005
【図４】
2018185279.tif 000006